(57)【特許請求の範囲】
【請求項１】
原稿が載置される載置台と、
前記載置台を覆う開閉自在な原稿カバーと、
前記原稿カバーの開閉状態を検知する開閉検知手段と、
前記原稿カバーに設けられている原稿搬送手段であって、原稿台を有し、前記原稿台上の原稿を読取位置に搬送する原稿搬送手段と、
前記原稿台上の原稿を検知する第１の原稿検知手段と、
前記載置台上の原稿又は前記原稿搬送手段によって前記読取位置に搬送されてきた原稿を読み取って画像データを生成する読取手段と、
前記原稿搬送手段及び前記読取手段を制御し、前記載置台又は前記原稿台上の原稿の読取処理を実行する制御手段と、
前記読取処理の開始指示を入力する指示手段と、
を備え、
前記制御手段は計時手段を有し、前記開閉検知手段によって前記原稿カバーが開状態から閉状態に変化したことが検知された時から前記指示手段によって今回の前記開始指示が入力された時までの時間が第１の時間以内であるか否かを前記計時手段を用いて判定するものであり、
前記指示手段により前記開始指示が入力されると、
前記第１の原稿検知手段により前記原稿台上の原稿が検知されている場合は前記原稿台上の原稿の前記読取処理を実行し、
前記第１の原稿検知手段により前記原稿台上の原稿が検知されていない場合、
且つ、前記開閉検知手段によって前記原稿カバーが閉じていることが検知されている場合は、
前記開閉検知手段によって前記原稿カバーが開状態から閉状態に変化したことが検知された時から前記指示手段によって今回の前記開始指示が入力された時までの時間が前記第１の時間を超えていると前記計時手段を用いて判定した場合は前記載置台上の原稿の前記読取処理を実行せず、前記開閉検知手段によって前記原稿カバーが開状態から閉状態に変化したことが検知された時から前記指示手段によって今回の前記開始指示が入力された時までの時間が前記第１の時間以内であると前記計時手段を用いて判定した場合は前記載置台上の原稿の前記読取処理を実行する画像読取装置。
【請求項２】
原稿が載置される載置台と、
前記載置台を覆う開閉自在な原稿カバーと、
前記原稿カバーの開閉状態を検知する開閉検知手段と、
前記原稿カバーに設けられている原稿搬送手段であって、原稿台を有し、前記原稿台上の原稿を読取位置に搬送する原稿搬送手段と、
前記原稿台上の原稿を検知する第１の原稿検知手段と、
前記載置台上の原稿又は前記原稿搬送手段によって前記読取位置に搬送されてきた原稿を読み取って画像データを生成する読取手段と、
前記読取手段で生成した画像データを出力する出力手段と、
前記原稿搬送手段及び前記読取手段を制御し、前記載置台又は前記原稿台上の原稿の読取処理を実行する制御手段と、
前記読取処理の開始指示を入力する指示手段と、
を備え、
前記制御手段は計時手段を有し、前記開閉検知手段によって前記原稿カバーが開状態から閉状態に変化したことが検知された時から前記指示手段によって今回の前記開始指示が入力された時までの時間が第１の時間以内であるか否かを前記計時手段を用いて判定し、前回の前記載置台上の原稿の前記読取処理が終了してから前記指示手段によって今回の前記開始指示が入力された時までの時間が第３の時間以内であるかを前記計時手段を用いて判定するものであり、
前記指示手段により前記開始指示が入力されると、
前記第１の原稿検知手段により前記原稿台上の原稿が検知されている場合は前記原稿台上の原稿の前記読取処理を実行して当該読取処理で生成した画像データを前記出力手段により出力し、
前記第１の原稿検知手段により前記原稿台上の原稿が検知されていない場合、
且つ、前回の前記載置台上の原稿の前記読取処理が終了してから前記指示手段によって今回の前記開始指示が入力された時までの時間が前記第３の時間を超えていると前記計時手段を用いて判定した場合、
且つ、前記開閉検知手段によって前記原稿カバーが閉じていることが検知されている場合は、
前記開閉検知手段によって前記原稿カバーが開状態から閉状態に変化したことが検知された時から前記指示手段によって今回の前記開始指示が入力された時までの時間が前記第１の時間を超えていると前記計時手段を用いて判定した場合は前記載置台上の原稿の前記読取処理を実行せず、前記開閉検知手段によって前記原稿カバーが開状態から閉状態に変化したことが検知された時から前記指示手段によって今回の前記開始指示が入力された時までの時間が前記第１の時間以内であると前記計時手段を用いて判定した場合は前記載置台上の原稿の前記読取処理を実行して当該読取処理で生成した画像データを前記出力手段により出力し、
前記第１の原稿検知手段により前記原稿台上の原稿が検知されていない場合、
且つ、前回の前記載置台上の原稿の前記読取処理が終了してから前記指示手段によって今回の前記開始指示が入力された時までの時間が前記第３の時間以内であると前記計時手段を用いて判定した場合は、
前記載置台上の原稿の前記読取処理を実行して当該読取処理で生成した画像データを前記出力手段により出力する画像読取装置。
【請求項３】
原稿が載置される載置台と、
前記載置台を覆う開閉自在な原稿カバーと、
前記原稿カバーの開閉状態を検知する開閉検知手段と、
前記原稿カバーに設けられている原稿搬送手段であって、原稿台を有し、前記原稿台上の原稿を読取位置に搬送する原稿搬送手段と、
前記原稿台上の原稿を検知する第１の原稿検知手段と、
前記載置台上の原稿又は前記原稿搬送手段によって前記読取位置に搬送されてきた原稿を読み取って画像データを生成する読取手段と、
前記読取手段で生成した画像データを出力する出力手段と、
前記原稿搬送手段及び前記読取手段を制御し、前記載置台又は前記原稿台上の原稿の読取処理を実行する制御手段と、
前記読取処理の開始指示を入力する指示手段と、
前記載置台上の原稿の前記読取処理で生成した画像データを記憶する記憶手段と、
を備え、
前記制御手段は計時手段を有し、前記開閉検知手段によって前記原稿カバーが開状態から閉状態に変化したことが検知された時から前記指示手段によって今回の前記開始指示が入力された時までの時間が第１の時間以内であるか否かを前記計時手段を用いて判定し、前回の前記載置台上の原稿の前記読取処理が終了してから前記指示手段によって今回の前記開始指示が入力された時までの時間が第３の時間以内であるかを前記計時手段を用いて判定するものであり、
前記指示手段により前記開始指示が入力されると、
前記第１の原稿検知手段により前記原稿台上の原稿が検知されている場合は前記原稿台上の原稿の前記読取処理を実行して当該読取処理で生成した画像データを前記出力手段により出力し、
前記第１の原稿検知手段により前記原稿台上の原稿が検知されていない場合、
且つ、前回の前記載置台上の原稿の前記読取処理が終了してから前記指示手段によって今回の前記開始指示が入力された時までの時間が前記第３の時間を超えていると前記計時手段を用いて判定した場合、
且つ、前記開閉検知手段によって前記原稿カバーが閉じていることが検知されている場合は、
前記開閉検知手段によって前記原稿カバーが開状態から閉状態に変化したことが検知された時から前記指示手段によって今回の前記開始指示が入力された時までの時間が前記第１の時間を超えていると前記計時手段を用いて判定した場合は前記載置台上の原稿の前記読取処理を実行せず、前記開閉検知手段によって前記原稿カバーが開状態から閉状態に変化したことが検知された時から前記指示手段によって今回の前記開始指示が入力された時までの時間が前記第１の時間以内であると前記計時手段を用いて判定した場合は前記載置台上の原稿の前記読取処理を実行して当該読取処理で生成した画像データを前記出力手段により出力し、
前記第１の原稿検知手段により前記原稿台上の原稿が検知されていない場合、
且つ、前回の前記載置台上の原稿の前記読取処理が終了してから前記指示手段によって今回の前記開始指示が入力された時までの時間が前記第３の時間以内であると前記計時手段を用いて判定した場合は前記読取処理を実行せず、
前回の前記載置台上の原稿の前記読取処理で前記記憶手段に記憶された前記画像データを前記出力手段により出力するか、又は、前記記憶手段に記憶されている前記画像データを前記出力手段により出力するか否かの選択指示を受付ける受付手段を設けておき、前記受付手段が、前記画像データを出力する選択指示を受付けた場合に、前回の前記載置台上の原稿の前記読取処理で前記記憶手段に記憶された前記画像データを前記出力手段により出力する画像読取装置。
【請求項４】
前記制御手段は、前記開閉検知手段によって前記原稿カバーが開状態に変化したことが検知された時から前記開閉検知手段によって前記原稿カバーが閉状態に変化したことが検知された時までの時間が第２の時間未満であるか否かを前記計時手段を用いて判定するものであり、
前記開閉検知手段によって前記原稿カバーが開状態から閉状態に変化したことが検知された時から前記指示手段によって今回の前記開始指示が入力された時までの時間が前記第１の時間以内であると前記計時手段を用いて判定した場合であっても、前記開閉検知手段によって前記原稿カバーが開状態に変化したことが検知された時から前記開閉検知手段によって前記原稿カバーが閉状態に変化したことが検知された時までの時間が前記第２の時間未満であると前記計時手段を用いて判定した場合は前記載置台上の原稿の前記読取処理を実行しない請求項１乃至請求項３のいずれか一項に記載の画像読取装置。
【請求項５】
原稿が載置される載置台と、
前記載置台を覆う開閉自在な原稿カバーと、
前記原稿カバーの開閉状態を検知する開閉検知手段と、
前記原稿カバーに設けられている原稿搬送手段であって、原稿台を有し、前記原稿台上の原稿を読取位置に搬送する原稿搬送手段と、
前記原稿台上の原稿を検知する第１の原稿検知手段と、
前記載置台上の原稿又は前記原稿搬送手段によって前記読取位置に搬送されてきた原稿を読み取って画像データを生成する読取手段と、
前記原稿搬送手段及び前記読取手段を制御し、前記載置台又は前記原稿台上の原稿の読取処理を実行する制御手段と、
前記読取処理の開始指示を入力する指示手段と、
を備え、
前記制御手段は、前記指示手段によって前回の前記開始指示が入力された時から前記指示手段によって今回の前記開始指示が入力された時まで前記原稿カバーが連続して閉状態であったか否かを前記開閉検知手段を用いて判定するものであり、
前記指示手段により前記開始指示が入力されると、
前記第１の原稿検知手段により前記原稿台上の原稿が検知されている場合は前記原稿台上の原稿の前記読取処理を実行し、
前記第１の原稿検知手段により前記原稿台上の原稿が検知されていない場合、
且つ、前記開閉検知手段によって前記原稿カバーが閉じていることが検知されている場合は、
前記指示手段によって前回の前記開始指示が入力された時から前記指示手段によって今回の前記開始指示が入力された時まで前記原稿カバーが連続して閉状態であったと前記開閉検知手段を用いて判定した場合は前記載置台上の原稿の前記読取処理を実行せず、前記指示手段によって前回の前記開始指示が入力された時から前記指示手段によって今回の前記開始指示が入力された時まで前記原稿カバーが連続して閉状態ではなかったと前記開閉検知手段を用いて判定した場合は前記載置台上の原稿の前記読取処理を実行する画像読取装置。
【請求項６】
原稿が載置される載置台と、
前記載置台を覆う開閉自在な原稿カバーと、
前記原稿カバーの開閉状態を検知する開閉検知手段と、
前記原稿カバーに設けられている原稿搬送手段であって、原稿台を有し、前記原稿台上の原稿を読取位置に搬送する原稿搬送手段と、
前記原稿台上の原稿を検知する第１の原稿検知手段と、
前記載置台上の原稿又は前記原稿搬送手段によって前記読取位置に搬送されてきた原稿を読み取って画像データを生成する読取手段と、
前記読取手段で生成した画像データを出力する出力手段と、
前記原稿搬送手段及び前記読取手段を制御し、前記載置台又は前記原稿台上の原稿の読取処理を実行する制御手段と、
前記読取処理の開始指示を入力する指示手段と、
を備え、
前記制御手段は計時手段を有し、前記指示手段によって前回の前記開始指示が入力された時から前記指示手段によって今回の前記開始指示が入力された時まで前記原稿カバーが連続して閉状態であったか否かを前記開閉検知手段を用いて判定し、前回の前記載置台上の原稿の前記読取処理が終了してから前記指示手段によって今回の前記開始指示が入力された時までの時間が第３の時間以内であるかを前記計時手段を用いて判定するものであり、
前記指示手段により前記開始指示が入力されると、
前記第１の原稿検知手段により前記原稿台上の原稿が検知されている場合は前記原稿台上の原稿の前記読取処理を実行して当該読取処理で生成した画像データを前記出力手段により出力し、
前記第１の原稿検知手段により前記原稿台上の原稿が検知されていない場合、
且つ、前回の前記載置台上の原稿の前記読取処理が終了してから前記指示手段によって今回の前記開始指示が入力された時までの時間が前記第３の時間を超えていると前記計時手段を用いて判定した場合、
且つ、前記開閉検知手段によって前記原稿カバーが閉じていることが検知されている場合は、
前記指示手段によって前回の前記開始指示が入力された時から前記指示手段によって今回の前記開始指示が入力された時まで前記原稿カバーが連続して閉状態であったと前記開閉検知手段を用いて判定した場合は前記載置台上の原稿の前記読取処理を実行せず、前記指示手段によって前回の前記開始指示が入力された時から前記指示手段によって今回の前記開始指示が入力された時まで前記原稿カバーが連続して閉状態ではなかったと前記開閉検知手段を用いて判定した場合は前記載置台上の原稿の前記読取処理を実行して当該読取処理で生成した画像データを前記出力手段により出力し、
前記第１の原稿検知手段により前記原稿台上の原稿が検知されていない場合、
且つ、前回の前記載置台上の原稿の前記読取処理が終了してから前記指示手段によって今回の前記開始指示が入力された時までの時間が前記第３の時間以内であると前記開閉検知手段を用いて判定した場合は、
前記載置台上の原稿の前記読取処理を実行して当該読取処理で生成した画像データを前記出力手段により出力する画像読取装置。
【請求項７】
原稿が載置される載置台と、
前記載置台を覆う開閉自在な原稿カバーと、
前記原稿カバーの開閉状態を検知する開閉検知手段と、
前記原稿カバーに設けられている原稿搬送手段であって、原稿台を有し、前記原稿台上の原稿を読取位置に搬送する原稿搬送手段と、
前記原稿台上の原稿を検知する第１の原稿検知手段と、
前記載置台上の原稿又は前記原稿搬送手段によって前記読取位置に搬送されてきた原稿を読み取って画像データを生成する読取手段と、
前記読取手段で生成した画像データを出力する出力手段と、
前記原稿搬送手段及び前記読取手段を制御し、前記載置台又は前記原稿台上の原稿の読取処理を実行する制御手段と、
前記読取処理の開始指示を入力する指示手段と、
前記載置台上の原稿の前記読取処理で生成した画像データを記憶する記憶手段と、
を備え、
前記制御手段は計時手段を有し、前記指示手段によって前回の前記開始指示が入力された時から前記指示手段によって今回の前記開始指示が入力された時まで前記原稿カバーが連続して閉状態であったか否かを前記開閉検知手段を用いて判定し、前回の前記載置台上の原稿の前記読取処理が終了してから前記指示手段によって今回の前記開始指示が入力された時までの時間が第３の時間以内であるかを前記計時手段を用いて判定するものであり、
前記指示手段により前記開始指示が入力されると、
前記第１の原稿検知手段により前記原稿台上の原稿が検知されている場合は前記原稿台上の原稿の前記読取処理を実行して当該読取処理で生成した画像データを前記出力手段により出力し、
前記第１の原稿検知手段により前記原稿台上の原稿が検知されていない場合、
且つ、前回の前記載置台上の原稿の前記読取処理が終了してから前記指示手段によって今回の前記開始指示が入力された時までの時間が前記第３の時間を超えていると前記計時手段を用いて判定した場合、
且つ、前記開閉検知手段によって前記原稿カバーが閉じていることが検知されている場合は、
前記指示手段によって前回の前記開始指示が入力された時から前記指示手段によって今回の前記開始指示が入力された時まで前記原稿カバーが連続して閉状態であったと前記開閉検知手段を用いて判定した場合は前記載置台上の原稿の前記読取処理を実行せず、前記指示手段によって前回の前記開始指示が入力された時から前記指示手段によって今回の前記開始指示が入力された時まで前記原稿カバーが連続して閉状態ではなかったと前記開閉検知手段を用いて判定した場合は前記載置台上の原稿の前記読取処理を実行して当該読取処理で生成した画像データを前記出力手段により出力し、
前記第１の原稿検知手段により前記原稿台上の原稿が検知されていない場合、
且つ、前回の前記載置台上の原稿の前記読取処理が終了してから前記指示手段によって今回の前記開始指示が入力された時までの時間が前記第３の時間以内であると前記開閉検知手段を用いて判定した場合は前記読取処理を実行せず、
前回の前記載置台上の原稿の前記読取処理で前記記憶手段に記憶された前記画像データを前記出力手段により出力するか、又は、前記記憶手段に記憶されている前記画像データを前記出力手段により出力するか否かの選択指示を受付ける受付手段を設けておき、前記受付手段が、前記画像データを出力する選択指示を受付けた場合に、前回の前記載置台上の原稿の前記読取処理で前記記憶手段に記憶された前記画像データを前記出力手段により出力する画像読取装置。
【請求項８】
前記制御手段は、前回の前記載置台上の原稿の前記読取処理で生成した画像データを前記記憶手段に記憶しておく場合は、前記読取処理が終了してから前記第３の時間以上経過すると、前記記憶手段に記憶されている前記画像データを破棄する請求項３又は請求項７に記載の画像読取装置。
【請求項９】
原稿が載置される載置台と、
前記載置台を覆う開閉自在な原稿カバーと、
前記原稿カバーに設けられている原稿搬送手段であって、原稿台を有し、前記原稿台上の原稿を読取位置に搬送する原稿搬送手段と、
前記原稿台上の原稿を検知する第１の原稿検知手段と、
前記載置台上の原稿を検知する第２の原稿検知手段と、
前記載置台上の原稿又は前記原稿搬送手段によって前記読取位置に搬送されてきた原稿を読み取って画像データを生成する読取手段と、
前記原稿搬送手段及び前記読取手段を制御し、前記載置台又は前記原稿台上の原稿の読取処理を実行する制御手段と、
前記読取処理の開始指示を入力する指示手段と、
を備え、
前記制御手段は計時手段を有し、前記第２の原稿検知手段の検知結果が原稿非検知から原稿検知に変化した時から前記指示手段によって前記開始指示が入力された時までの時間が第１の時間以内であるか否かを前記計時手段を用いて判定するものであり、
前記指示手段により前記開始指示が入力されると、
前記第１の原稿検知手段により前記原稿台上の原稿が検知されている場合は前記原稿台上の原稿の前記読取処理を実行し、
前記第１の原稿検知手段により前記原稿台上の原稿が検知されていない場合は、
前記第２の原稿検知手段により前記載置台上の原稿が検知されていない場合は前記載置台上の原稿の前記読取処理を実行せず、
前記第２の原稿検知手段により前記載置台上の原稿が検知されている場合は、
前記第２の原稿検知手段の検知結果が原稿非検知から原稿検知に変化した時から前記指示手段によって前記開始指示が入力された時までの時間が前記第１の時間以内であると前記計時手段を用いて判定した場合は前記載置台上の原稿の前記読取処理を実行し、前記第１の時間を超えていると前記計時手段を用いて判定した場合は前記載置台上の原稿の前記読取処理を実行しない画像読取装置。
【請求項１０】
原稿が載置される載置台と、
前記載置台を覆う開閉自在な原稿カバーと、
前記原稿カバーに設けられている原稿搬送手段であって、原稿台を有し、前記原稿台上の原稿を読取位置に搬送する原稿搬送手段と、
前記原稿台上の原稿を検知する第１の原稿検知手段と、
前記載置台上の原稿又は前記原稿搬送手段によって前記読取位置に搬送されてきた原稿を読み取って画像データを生成する読取手段と、
前記読取手段で生成された画像データを出力する出力手段と、
前記原稿搬送手段及び前記読取手段を制御し、前記載置台又は前記原稿台上の原稿の読取処理を実行する制御手段と、
前記読取処理の開始指示を入力する指示手段と、
を備え、
前記制御手段は、前記指示手段により前記開始指示が入力されると、前記第１の原稿検知手段により前記原稿台上の原稿が検知されている場合は前記原稿台上の原稿の前記読取処理を実行して前記出力手段により画像データを出力し、前記第１の原稿検知手段により前記原稿台上の原稿が検知されていない場合は前記載置台上の原稿の前記読取処理を実行し、当該読取処理によって生成した画像データが無地画像ではない場合は前記出力手段により当該画像データを出力し、当該読取処理によって生成した画像データが無地画像である場合は当該画像データを出力しない画像読取装置。
【請求項１１】
原稿が載置される載置台と、
前記載置台を覆う開閉自在な原稿カバーと、
前記原稿カバーに設けられている原稿搬送手段であって、原稿台を有し、前記原稿台上の原稿を読取位置に搬送する原稿搬送手段と、
前記原稿台上の原稿を検知する第１の原稿検知手段と、
前記載置台上の原稿又は前記原稿搬送手段によって前記読取位置に搬送されてきた原稿を読み取って画像データを生成する読取手段と、
前記読取手段で生成された画像データを記憶する記憶手段と、
前記読取手段で生成された画像データを出力する出力手段と、
前記原稿搬送手段及び前記読取手段を制御し、前記載置台又は前記原稿台上の原稿の読取処理を実行する制御手段と、
前記読取処理の開始指示を入力する指示手段と、
を備え、
前記制御手段は、前記指示手段により前記開始指示が入力されると、前記第１の原稿検知手段により前記原稿台上の原稿が検知されている場合は前記原稿台上の原稿の前記読取処理を実行して前記出力手段により画像データを出力し、前記第１の原稿検知手段により前記原稿台上の原稿が検知されていない場合は前記載置台上の原稿の前記読取処理を実行し、当該読取処理によって生成した画像データを当該画像データというとき、当該画像データと前回の前記載置台上の原稿の前記読取処理で前記記憶手段に記憶された画像データとが類似していない場合は前記出力手段により当該画像データを出力し、類似している場合は当該画像データを出力しない画像読取装置。
【発明の詳細な説明】
【技術分野】
【０００１】
本発明は、画像読取装置に関する。
【背景技術】
【０００２】
従来、原稿が置かれる原稿テーブルと原稿台上の原稿を読取位置に搬送する自動給紙装置、所謂ＡＤＦ（Auto Document Feeder）とを備え、原稿テーブル上の原稿又はＡＤＦによって読取位置に搬送されてきた原稿を読み取る画像形成装置が知られている（例えば、特許文献１参照）。
【特許文献１】特開平８−１５２８１３号公報
【発明の開示】
【発明が解決しようとする課題】
【０００３】
ところで、載置台上の原稿又はＡＤＦによって読取位置に搬送されてきた原稿を読み取って画像データを生成する画像形成装置では、ユーザがＡＤＦに原稿を搬送させて原稿を読み取らせようとするとき、ＡＤＦの原稿台に原稿を正しく載置しないと、原稿台に載置された原稿を検知するためのセンサによって原稿が検知されず、ＡＤＦ上に原稿が載置されていないと判定されてしまうことがある。そのため、ＡＤＦの原稿台に載置された原稿を読み取る代わりに、原稿テーブルに置き去りにされている原稿、あるいは原稿が載置されていない場合は原稿テーブルを覆う原稿カバーを読み取ってしまうことがある。
【０００４】
本発明は上記のような事情に基づいて完成されたものであって、原稿搬送手段の原稿台上に原稿が不正確に載置されたときに誤って載置台上の原稿を読み取ってしまう読取ミスを低減する画像読取装置を提供することを目的とする。
【課題を解決するための手段】
【０００５】
第１の発明は、画像読取装置であって、原稿が載置される載置台と、前記載置台を覆う開閉自在な原稿カバーと、前記原稿カバーの開閉状態を検知する開閉検知手段と、前記原稿カバーに設けられている原稿搬送手段であって、原稿台を有し、前記原稿台上の原稿を読取位置に搬送する原稿搬送手段と、前記原稿台上の原稿を検知する第１の原稿検知手段と、前記載置台上の原稿又は前記原稿搬送手段によって前記読取位置に搬送されてきた原稿を読み取って画像データを生成する読取手段と、前記原稿搬送手段及び前記読取手段を制御し、前記載置台又は前記原稿台上の原稿の読取処理を実行する制御手段と、前記読取処理の開始指示を入力する指示手段と、を備え、前記制御手段は計時手段を有し、前記原稿カバーが開状態から閉状態に変化した時から今回の前記開始指示までの時間が第１の時間以内であるか否かを前記計時手段を用いて判定するものであり、前記指示手段により前記開始指示が入力されると、前記第１の原稿検知手段により前記原稿台上の原稿が検知されている場合は前記原稿台上の原稿の前記読取処理を実行し、前記原稿台上の原稿が検知されていない場合、且つ、前記原稿カバーが閉じている場合は、前記原稿カバーが開状態から閉状態に変化した時から今回の前記開始指示までの時間が前記第１の時間を超えている場合は前記載置台上の原稿の前記読取処理を実行せず、前記原稿カバーが開状態から閉状態に変化した時から今回の前記開始指示までの時間が前記第１の時間以内である場合は前記載置台上の原稿の前記読取処理を実行する。
原稿台上の原稿を読み取る場合と載置台上の原稿を読み取る場合とでは開閉検知手段の検知結果に違いが生じる。
したがって、原稿搬送手段の原稿台上の原稿が検知されていない場合は、操作者に載置台上の原稿を読み取らせる意思があるか否かを開閉検知手段の検知結果に基づいて判定し、載置台上の原稿を読み取らせる意思がないと判定した場合には載置台上の原稿の読取処理を実行しないようにすれば、原稿搬送手段の原稿台上に原稿が不正確に載置されたときに誤って載置台上の原稿を読み取ってしまう読取ミスを低減できる。
この発明によると、載置台上の原稿の読取処理を実行するか否かを開閉検知手段の検知結果に基づいて決定するので、原稿搬送手段の原稿台上に原稿が不正確に載置されたときに誤って載置台上の原稿を読み取ってしまう読取ミスを低減できる。
【０００６】
また、載置台上の原稿を読み取らせる場合、原稿カバーを閉じてから読取処理の開始指示を入力するまでの時間は一般に短時間であり、多くの場合はある一定の時間（第１の時間）以内である。つまり、操作者に載置台上の原稿を読み取らせる意思があれば開始指示の入力時から遡って第１の時間以内に原稿カバーの開状態が検知されるはずである。
逆にいうと、原稿搬送手段の原稿台上の原稿が検知されていない場合に、原稿カバーの開状態が開始指示の入力時から遡って第１の時間以内に検知されていない場合は、操作者には載置台上の原稿を読み取らせる意思はなく、原稿搬送手段の原稿台上に原稿を不正確に載置してしまった可能性が高いといえる。
この発明によると、原稿搬送手段の原稿台上の原稿が検知されていない場合に、開始指示の入力時から遡って第１の時間以内に原稿カバーの開状態が検知されていない場合は載置台上の原稿の読取処理を実行しないので、原稿搬送手段の原稿台上に原稿が不正確に載置されたときに誤って載置台上の原稿を読み取ってしまう読取ミスを低減できる。
【０００７】
第２の発明は、画像読取装置であって、原稿が載置される載置台と、前記載置台を覆う開閉自在な原稿カバーと、前記原稿カバーの開閉状態を検知する開閉検知手段と、前記原稿カバーに設けられている原稿搬送手段であって、原稿台を有し、前記原稿台上の原稿を読取位置に搬送する原稿搬送手段と、前記原稿台上の原稿を検知する第１の原稿検知手段と、前記載置台上の原稿又は前記原稿搬送手段によって前記読取位置に搬送されてきた原稿を読み取って画像データを生成する読取手段と、前記読取手段で生成した画像データを出力する出力手段と、前記原稿搬送手段及び前記読取手段を制御し、前記載置台又は前記原稿台上の原稿の読取処理を実行する制御手段と、前記読取処理の開始指示を入力する指示手段と、を備え、前記制御手段は計時手段を有し、前記原稿カバーが開状態から閉状態に変化した時から今回の前記開始指示までの時間が第１の時間以内であるか否かを前記計時手段を用いて判定し、前回の前記載置台上の原稿の前記読取処理が終了してから今回の前記開始指示までの時間が第３の時間以内であるかを前記計時手段を用いて判定するものであり、前記指示手段により前記開始指示が入力されると、前記第１の原稿検知手段により前記原稿台上の原稿が検知されている場合は前記原稿台上の原稿の前記読取処理を実行して当該読取処理で生成した画像データを前記出力手段により出力し、前記原稿台上の原稿が検知されていない場合、且つ、前回の前記載置台上の原稿の前記読取処理が終了してから今回の前記開始指示までの時間が前記第３の時間を超えている場合、且つ、前記原稿カバーが閉じている場合は、前記原稿カバーが開状態から閉状態に変化した時から今回の前記開始指示までの時間が前記第１の時間を超えている場合は前記載置台上の原稿の前記読取処理を実行せず、前記原稿カバーが開状態から閉状態に変化した時から今回の前記開始指示までの時間が前記第１の時間以内である場合は前記載置台上の原稿の前記読取処理を実行して当該読取処理で生成した画像データを前記出力手段により出力し、前記原稿台上の原稿が検知されていない場合、且つ、前回の前記載置台上の原稿の前記読取処理が終了してから今回の前記開始指示までの時間が前記第３の時間以内の場合は、前記載置台上の原稿の前記読取処理を実行して当該読取処理で生成した画像データを前記出力手段により出力するか、又は前記載置台上の原稿の前記読取処理で生成した画像データを記憶する記憶手段を備えておき、前記記憶手段に記憶されている前記画像データを前記出力手段により出力するか、又は前記記憶手段に記憶されている前記画像データを出力するか否かをユーザに選択させ、ユーザが前記画像データを出力するという選択をした場合に前記記憶手段に記憶されている前記画像データを前記出力手段により出力する。
原稿を読み取った後、同一の原稿を再度読み取る場合もあり得る。同一の原稿を再度読み取る場合は、前回の読取処理が終了してから今回の開始指示までの時間はある特定の時間（第３の時間）以内である可能性が高い。
ところで、同一の原稿を再度読み取る場合、前回読み取った画像データを記憶しておけば、読取処理を再度実行する必要がなく効率がよい。特に原稿搬送手段の原稿台上に載置された原稿を再度読み取る場合は原稿を原稿台に載置しなおす手間を省略できるので特に効率がよい。
この発明によると、読取手段で生成した画像データを記憶しておき、前回の読取処理が終了してから今回の開始指示までの時間が第３の時間以内である場合は読取処理を実行しないので、出力処理の効率を向上できる。
また、前回の読取処理が終了してから今回の開始指示までの時間が第３の時間以内であっても、記憶手段に記憶されている画像データを出力したくない場合もある。
この発明によると、操作者は、前回の読取処理が終了してから今回の開始指示までの時間が第３の時間以内である場合に、記憶手段に記憶されている画像データを出力するか否かを選択できる。
第３の発明は、第１又は第２の発明の画像読取装置であって、前記制御手段は、前記原稿カバーが開状態に変化した時から前記原稿カバーが閉状態に変化した時までの時間を前記計時手段を用いて計時するものであり、前記原稿カバーが開状態から閉状態に変化した時から今回の前記開始指示までの時間が前記第１の時間以内であっても、前記原稿カバーが開状態に変化した時から前記原稿カバーが閉状態に変化した時までの時間が第２の時間未満であった場合は前記載置台上の原稿の前記読取処理を実行しない。
載置台に原稿を載置する場合、原稿を載置するために原稿カバーを開いてから原稿カバーを閉じるまでには一般にある程度の時間（第２の時間）を要する。逆にいうと、原稿カバーを開いてから原稿カバーを閉じるまでの時間が第２の時間未満である場合は、原稿の有無を確認したのみで原稿の載置は行っていない可能性が高い。
この発明によると、原稿カバーが開状態から閉状態に変化した時が開始指示の入力時から遡って第１の時間以内であっても、原稿カバーを開いてから原稿カバーを閉じるまでの時間が第２の時間未満である場合は原稿の有無を確認したのみで原稿の載置は行っていないとして読取処理を実行しない。よって、読取ミスをより低減できる。
【０００８】
第４の発明は、画像読取装置であって、原稿が載置される載置台と、前記載置台を覆う開閉自在な原稿カバーと、前記原稿カバーの開閉状態を検知する開閉検知手段と、前記原稿カバーに設けられている原稿搬送手段であって、原稿台を有し、前記原稿台上の原稿を読取位置に搬送する原稿搬送手段と、前記原稿台上の原稿を検知する第１の原稿検知手段と、前記載置台上の原稿又は前記原稿搬送手段によって前記読取位置に搬送されてきた原稿を読み取って画像データを生成する読取手段と、前記原稿搬送手段及び前記読取手段を制御し、前記載置台又は前記原稿台上の原稿の読取処理を実行する制御手段と、前記読取処理の開始指示を入力する指示手段と、を備え、前記制御手段は、前回の前記開始指示から今回の前記開始指示まで前記原稿カバーが連続して閉状態であったか否かを前記開閉検知手段を用いて判定するものであり、前記指示手段により前記開始指示が入力されると、前記第１の原稿検知手段により前記原稿台上の原稿が検知されている場合は前記原稿台上の原稿の前記読取処理を実行し、前記原稿台上の原稿が検知されていない場合、且つ、前記原稿カバーが閉じている場合は、前回の前記開始指示から今回の前記開始指示まで前記原稿カバーが連続して閉状態であった場合は前記載置台上の原稿の前記読取処理を実行せず、前回の前記開始指示から今回の前記開始指示まで前記原稿カバーが連続して閉状態ではなかった場合は前記載置台上の原稿の前記読取処理を実行する。
前回の開始指示から今回の開始指示まで原稿カバーの開状態が検知されていない場合は、操作者は載置台上の原稿を読み取らせようとはしていない可能性が高いといえる。
この発明によると、前回の開始指示から今回の開始指示まで原稿カバーが連続して閉状態であった場合は載置台上の原稿の読取処理を実行しないと判定するので、原稿搬送手段の原稿台上に原稿を不正確に載置してしまっても、誤って載置台上の原稿を読み取ってしまう読取ミスを低減できる。
【０００９】
第５の発明は、画像読取装置であって、原稿が載置される載置台と、前記載置台を覆う開閉自在な原稿カバーと、前記原稿カバーの開閉状態を検知する開閉検知手段と、前記原稿カバーに設けられている原稿搬送手段であって、原稿台を有し、前記原稿台上の原稿を読取位置に搬送する原稿搬送手段と、前記原稿台上の原稿を検知する第１の原稿検知手段と、前記載置台上の原稿又は前記原稿搬送手段によって前記読取位置に搬送されてきた原稿を読み取って画像データを生成する読取手段と、前記読取手段で生成した画像データを出力する出力手段と、前記原稿搬送手段及び前記読取手段を制御し、前記載置台又は前記原稿台上の原稿の読取処理を実行する制御手段と、前記読取処理の開始指示を入力する指示手段と、を備え、前記制御手段は計時手段を有し、前回の前記開始指示から今回の前記開始指示まで前記原稿カバーが連続して閉状態であったか否かを前記開閉検知手段を用いて判定し、前回の前記載置台上の原稿の前記読取処理が終了してから今回の前記開始指示までの時間が第３の時間以内であるかを前記計時手段を用いて判定するものであり、前記指示手段により前記開始指示が入力されると、前記第１の原稿検知手段により前記原稿台上の原稿が検知されている場合は前記原稿台上の原稿の前記読取処理を実行して当該読取処理で生成した画像データを前記出力手段により出力し、前記原稿台上の原稿が検知されていない場合、且つ、前回の前記載置台上の原稿の前記読取処理が終了してから今回の前記開始指示までの時間が前記第３の時間を超えている場合、且つ、前記原稿カバーが閉じている場合は、前回の前記開始指示から今回の前記開始指示まで前記原稿カバーが連続して閉状態であった場合は前記載置台上の原稿の前記読取処理を実行せず、前回の前記開始指示から今回の前記開始指示まで前記原稿カバーが連続して閉状態ではなかった場合は前記載置台上の原稿の前記読取処理を実行して当該読取処理で生成した画像データを前記出力手段により出力し、前記原稿台上の原稿が検知されていない場合、且つ、前回の前記載置台上の原稿の前記読取処理が終了してから今回の前記開始指示までの時間が前記第３の時間以内の場合は、前記載置台上の原稿の前記読取処理を実行して当該読取処理で生成した画像データを前記出力手段により出力するか、又は前記載置台上の原稿の前記読取処理で生成した画像データを記憶する記憶手段を備えておき、前記記憶手段に記憶されている前記画像データを前記出力手段により出力するか、又は前記記憶手段に記憶されている前記画像データを出力するか否かをユーザに選択させ、ユーザが前記画像データを出力するという選択をした場合に前記記憶手段に記憶されている前記画像データを前記出力手段により出力する。
原稿を読み取った後、同一の原稿を再度読み取る場合もあり得る。同一の原稿を再度読み取る場合は、前回の読取処理が終了してから今回の開始指示までの時間はある特定の時間（第３の時間）以内である可能性が高い。
ところで、同一の原稿を再度読み取る場合、前回読み取った画像データを記憶しておけば、読取処理を再度実行する必要がなく効率がよい。特に原稿搬送手段の原稿台上に載置された原稿を再度読み取る場合は原稿を原稿台に載置しなおす手間を省略できるので特に効率がよい。
この発明によると、読取手段で生成した画像データを記憶しておき、前回の読取処理が終了してから今回の開始指示までの時間が第３の時間以内である場合は読取処理を実行しないので、出力処理の効率を向上できる。
【００１０】
また、前回の読取処理が終了してから今回の開始指示までの時間が第３の時間以内であっても、記憶手段に記憶されている画像データを出力したくない場合もある。
この発明によると、操作者は、前回の読取処理が終了してから今回の開始指示までの時間が第３の時間以内である場合に、記憶手段に記憶されている画像データを出力するか否かを選択できる。
【００１１】
第６の発明は、第２又は第５の発明の画像読取装置であって、前記制御手段は、前回の前記載置台上の原稿の前記読取処理で生成した画像データを前記記憶手段に記憶しておく場合は、前記読取処理が終了してから前記第３の時間以上経過すると、前記記憶手段に記憶されている前記画像データを破棄する。
この発明によると、第３の時間以上経過すると画像データを破棄するので、記憶手段を効率よく利用できる。
【００１２】
【００１３】
【００１４】
第７の発明は、画像読取装置であって、原稿が載置される載置台と、前記載置台を覆う開閉自在な原稿カバーと、前記原稿カバーに設けられている原稿搬送手段であって、原稿台を有し、前記原稿台上の原稿を読取位置に搬送する原稿搬送手段と、前記原稿台上の原稿を検知する第１の原稿検知手段と、前記載置台上の原稿を検知する第２の原稿検知手段と、前記載置台上の原稿又は前記原稿搬送手段によって前記読取位置に搬送されてきた原稿を読み取って画像データを生成する読取手段と、前記原稿搬送手段及び前記読取手段を制御し、前記載置台又は前記原稿台上の原稿の読取処理を実行する制御手段と、前記読取処理の開始指示を入力する指示手段と、を備え、前記制御手段は計時手段を有し、前記第２の原稿検知手段の検知結果が原稿非検知から原稿検知に変化した時から前記開始指示が入力された時までの時間が第１の時間以内であるか否かを前記計時手段を用いて判定するものであり、前記指示手段により前記開始指示が入力されると、前記第１の原稿検知手段により前記原稿台上の原稿が検知されている場合は前記原稿台上の原稿の前記読取処理を実行し、前記原稿台上の原稿が検知されていない場合は、前記載置台上の原稿が検知されていない場合は前記載置台上の原稿の前記読取処理を実行せず、前記載置台上の原稿が検知されている場合は、前記第２の原稿検知手段の検知結果が原稿非検知から原稿検知に変化した時から前記開始指示が入力された時までの時間が前記第１の時間以内であるか否かを判定し、前記第１の時間以内である場合は前記載置台上の原稿の前記読取処理を実行し、前記第１の時間を超えている場合は前記載置台上の原稿の前記読取処理を実行しない。
載置台に原稿を載置してから読取処理の開始指示を入力するまでの時間は一般に短時間であり、多くの場合はある一定の時間（第１の時間）以内である。つまり、操作者に載置台上の原稿を読み取らせる意思があれば第１の時間以内に第２の原稿検知手段の検知結果が原稿非検知（原稿無し）から原稿検知（原稿有り）に変化しているはずである。
逆にいうと、原稿搬送手段の原稿台上の原稿が検知されていない場合に、第１の時間以内に第２の原稿検知手段の検知結果が原稿無しから原稿有りに変化していなければ、操作者には載置台上の原稿を読み取らせる意思はなく、原稿搬送手段の原稿台上に原稿を不正確に載置してしまった可能性が高いといえる。
この発明によると、原稿搬送手段の原稿台上の原稿が検知されていない場合に、第１の時間以内に第２の原稿検知手段の検知結果が原稿非検知から原稿検知に変化していない場合は載置台上の原稿の読取処理を実行しないので、原稿搬送手段の原稿台上に原稿を不正確に載置してしまっても、誤って載置台上の原稿を読み取ってしまう読取ミスを低減できる。
【００１５】
第８の発明は、画像読取装置であって、原稿が載置される載置台と、前記載置台を覆う開閉自在な原稿カバーと、前記原稿カバーに設けられている原稿搬送手段であって、原稿台を有し、前記原稿台上の原稿を読取位置に搬送する原稿搬送手段と、前記原稿台上の原稿を検知する第１の原稿検知手段と、前記載置台上の原稿又は前記原稿搬送手段によって前記読取位置に搬送されてきた原稿を読み取って画像データを生成する読取手段と、前記読取手段で生成された画像データを出力する出力手段と、前記原稿搬送手段及び前記読取手段を制御し、前記載置台又は前記原稿台上の原稿の読取処理を実行する制御手段と、前記読取処理の開始指示を入力する指示手段と、を備え、前記制御手段は、前記指示手段により前記開始指示が入力されると、前記第１の原稿検知手段により前記原稿台上の原稿が検知されている場合は前記原稿台上の原稿の前記読取処理を実行して前記出力手段により画像データを出力し、前記原稿台上の原稿が検知されていない場合は前記載置台上の原稿の前記読取処理を実行し、当該読取処理によって生成した画像データが無地画像ではない場合は前記出力手段により当該画像データを出力し、当該読取処理によって生成した画像データが無地画像である場合は当該画像データを出力しない。
載置台上に原稿が載置されていない場合に誤って載置台を読み取ってしまうと無地の画像を表す画像データが生成される。
この発明によると、原稿搬送手段の原稿台上に原稿が不正確に載置されたときに誤って載置台上の原稿を読み取ってしまう読取ミスが起きても、生成した画像データが無地画像の場合は出力しないので、読取ミスによって生成した画像データが出力されてしまうことを低減できる。
【００１６】
第９の発明は、画像読取装置であって、原稿が載置される載置台と、前記載置台を覆う開閉自在な原稿カバーと、前記原稿カバーに設けられている原稿搬送手段であって、原稿台を有し、前記原稿台上の原稿を読取位置に搬送する原稿搬送手段と、前記原稿台上の原稿を検知する第１の原稿検知手段と、前記載置台上の原稿又は前記原稿搬送手段によって前記読取位置に搬送されてきた原稿を読み取って画像データを生成する読取手段と、前記読取手段で生成された画像データを記憶する記憶手段と、前記読取手段で生成された画像データを出力する出力手段と、前記原稿搬送手段及び前記読取手段を制御し、前記載置台又は前記原稿台上の原稿の読取処理を実行する制御手段と、前記読取処理の開始指示を入力する指示手段と、を備え、前記制御手段は、前記指示手段により前記開始指示が入力されると、前記第１の原稿検知手段により前記原稿台上の原稿が検知されている場合は前記原稿台上の原稿の前記読取処理を実行して前記出力手段により画像データを出力し、前記原稿台上の原稿が検知されていない場合は前記載置台上の原稿の前記読取処理を実行し、当該読取処理によって生成した画像データと前回の前記載置台上の原稿の前記読取処理で前記記憶手段に記憶された画像データとが類似していない場合は前記出力手段により当該画像データを出力し、類似している場合は当該画像データを出力しない。
載置台上に原稿が置き去りにされていた場合、当該原稿を再度読み取ると、生成される画像データと、記憶手段に記憶されている前回の読取処理で当該原稿を読み取って生成された画像データとは類似するものとなる。
この発明によると、原稿搬送手段の原稿台上に原稿が不正確に載置されたときに誤って載置台上の原稿を読み取ってしまう読取ミスが起きても、生成した画像データと記憶手段に記憶されている画像データとが類似している場合は出力しないので、読取ミスによって生成した画像データが出力されてしまうことを低減できる。
【発明の効果】
【００１７】
本発明によれば、原稿搬送手段の原稿台上に原稿が不正確に載置されたときに誤って載置台上の原稿を読み取ってしまう読取ミスを低減できる。
【発明を実施するための最良の形態】
【００１８】
＜実施形態１＞
本発明の実施形態１を図１ないし図１０によって説明する。
【００１９】
（複合機の外観）
図１及び図２は、スキャナ機能、プリンタ機能、コピー機能、ファクシミリ機能等を有する複合機１（画像読取装置の一例）の外観を部分的に示す斜視図である。
複合機１の本体ケース３における上面には、原稿が載置される透明なガラスで形成された載置台１６が水平状態で固定されており、その前方の本体ケース３の上面には各種の設定や指示を入力するためのボタンスイッチや液晶パネルを備えた操作部１３が配置されている。本体ケース３の上面のうち後側縁には、ヒンジ８を介して上下回動可能に原稿カバー１７が連結され、原稿カバー１７の上面一側には原稿台２２を有するＡＤＦ１９（原稿搬送手段の一例）が設けられている。
【００２０】
（複合機の概略構成）
図３は、複合機１の構成を簡略化して示す模式図である。
複合機１は、原稿を読み取るスキャナ部１１、紙等の被記録媒体に画像を形成するプリンタ部１２（出力手段の一例）、操作部１３、ファクシミリ部１４（出力手段の一例）、制御部１５（制御手段の一例）などを備えている。
【００２１】
スキャナ部１１は所謂フラットベッド方式のイメージスキャナであって、載置台１６、原稿カバー１７、原稿カバー１７の開閉状態を検知する開閉検知センサ１８（開閉検知手段の一例）、原稿台２２上の原稿を読取位置Ｒに搬送するＡＤＦ１９、原稿台２２上の原稿を検知する第１の原稿検知センサ２０（第１の原稿検知手段の一例）、載置台１６上の原稿Ｍ又はＡＤＦ１９によって読取位置Ｒに搬送されてきた原稿Ｎを読み取って画像データを生成する読取部２１（読取手段の一例）などで構成されている。
【００２２】
開閉検知センサ１８は、例えば原稿カバー１７が閉状態になるとオンになり、開状態になるとオフになるスイッチである。開閉検知センサ１８は原稿カバー１７が閉状態になるとオン信号を出力し、原稿カバー１７が開状態になるとオフ信号を出力する。
【００２３】
ＡＤＦ１９は、原稿が載置される原稿台２２、図示しない複数のローラ、これら複数のローラを回転駆動する図示しない駆動モータなどで構成されており、原稿台２２に載置されている原稿Ｎを１枚ずつ分離して読取位置Ｒに搬送する。原稿Ｎは読取位置Ｒ上を搬送されている間に読取部２１によって読み取られ、原稿カバー１７の上に排出される。
【００２４】
第１の原稿検知センサ２０は、例えば検知位置Ｄまで挿し込まれるように原稿台２２上に原稿Ｎが載置されるとオンになり、検知位置Ｄに原稿Ｎが無いとオフになるスイッチである。第１の原稿検知センサ２０は検知位置Ｄに原稿Ｎが有るときは制御部１５にオン信号を出力し、検知位置Ｄに原稿Ｎが無いときはオフ信号を出力する。
【００２５】
読取部２１は、ＣＩＳ（密着型イメージセンサ）などのラインセンサ２３、原稿を照射する図示しない光源、原稿で反射された反射光をラインセンサ２３に入射させる光学系２４、ラインセンサ２３や光源などが搭載されるキャリッジ２５、キャリッジ２５をラインセンサ２３の延伸方向（主走査方向）に垂直な副走査方向（Ｘ方向）に搬送する図示しない搬送機構、ラインセンサ２３から出力されるアナログのセンサ出力をデジタル信号に変換し、シェーディング補正やガンマ補正などの所定の画像処理を施して画像データを生成する図示しない画像処理部などで構成されている。
【００２６】
読取部２１は、載置台１６に載置されている原稿Ｍを読み取るときは搬送機構によりラインセンサ２３を副走査方向に搬送しつつ読み取りを行い、一方、原稿台２２に載置されている原稿Ｎを読み取るときはラインセンサ２３を読取位置Ｒの下に定位させて読み取りを行う。
【００２７】
プリンタ部１２は、用紙カセットにセットされた紙などの被記録媒体を搬送する搬送機構などを有し、スキャナ部１１で生成された画像データやファクシミリ部１４で受信した画像データに基づいて被記録媒体上にレーザー方式やインクジェット方式などで画像を形成（印刷）することにより画像データを出力する。
【００２８】
操作部１３は、後述のコピー処理の開始指示をユーザが入力するためのコピーボタン（指示手段の一例）などの複数のボタンスイッチ、液晶ディスプレイなどの表示装置などで構成されている。操作者は表示装置に表示される画面を参照しつつボタンスイッチを押下することにより各種の設定や各種の指示を入力する。
【００２９】
ファクシミリ部１４は電話回線を通じて他のファクシミリ装置との間で画像データの送受信を行う。
【００３０】
制御部１５は、ＣＰＵ、ＲＯＭ、ＲＡＭ（記憶手段の一例）、計時手段などで構成されており、ＲＯＭに記憶されている各種のプログラムを実行することにより複合機１の各部を制御する。具体的には例えば、制御部１５はＡＤＦ１９及び読取部２１を制御して載置台１６又は原稿台２２上の原稿を読み取って画像データを生成し、プリンタ部１２を制御して画像データを印刷するコピー処理（読取処理及び出力処理の一例）、ファクシミリ部１４を制御して画像データをファクシミリ送信するファクシミリ送信処理（読取処理及び出力処理の一例）などを実行する。
【００３１】
（複合機の処理概要）
ここでは操作部１３のコピーボタンがユーザにより押下されたときに開始されるコピー処理を例に複合機１の処理概要を説明する。
図４は、コピー処理の概要を示す模式図である。コピー処理は、第１の原稿検知センサ２０が原稿Ｎを検知している（ＡＤＦ１９の原稿台２２上に原稿Ｎが有るとみなされる）場合と第１の原稿検知センサ２０が原稿Ｎを検知していない（ＡＤＦ１９の原稿台２２上に原稿Ｎが無いとみなされる）場合とで処理が大きく分かれる。
【００３２】
始めに、ＡＤＦ１９の原稿台２２上に原稿Ｎが有る場合の処理について説明する。ＡＤＦ１９の原稿台２２上に原稿Ｎが有る場合は、原稿台２２上の原稿Ｎを読み取って画像データを生成し、生成した画像データを印刷する。
【００３３】
次に、ＡＤＦ１９の原稿台２２上に原稿Ｎが無い場合の処理について説明する。
この場合、前回の載置台１６上の原稿Ｍの読取処理が終了した時から今回の開始指示が入力された時までの時間が１分（第３の時間の一例）以内であるか否かによって処理が分かれる。
前回の読取処理が終了した時から今回の開始指示が入力された時までの時間が１分以内である場合は、同一の原稿を再コピーしようとしている可能性がある。同一の原稿を再コピーするのであれば前回の読取処理で生成した画像データを再印刷すればよく、同一の原稿について読取処理を再度実行する必要はない。そこで、複合機１は生成した画像データを記憶しておき、前回の読取処理が終了した時から今回の開始指示が入力された時までの時間が１分以内である場合は、再コピーするか否かを操作者に問い合わせ、操作者が再コピーを選択した場合は前回生成した画像データを再印刷する。このように再コピーの場合には読取処理を省略すると効率がよい。
【００３４】
一方、操作者が再コピーを選択しなかった場合は、本実施形態では何も実行せずに処理を終了する。なお、再コピーを選択しなかった場合は原稿Ｍを読み取って印刷するコピーを実行するようにしてもよい。
【００３５】
前回の開始指示が入力された時から今回の開始指示が入力された時までの時間が１分（第３の時間の一例）を越えている場合は、現在の原稿カバー１７が開状態であるか否かによって処理が分かれる。
現在の原稿カバー１７の状態が開状態である場合は、載置台１６上の原稿Ｍをコピーする。ＡＤＦ１９の原稿台２２に原稿Ｎを載置して読み取らせようとするときは、通常は原稿カバー１７を閉じるので、原稿カバー１７が開いている場合は原稿台２２に原稿Ｎを載置して読み取らせようとしている可能性は低い。原稿カバー１７が開いているときはむしろ本などの厚みのある原稿Ｍを載置台１６に載置して読み取らせようとしている可能性の方が高い。そこで、本実施形態では現在の原稿カバー１７の状態が開状態である場合は載置台１６上の原稿Ｍのコピーを実行する。
【００３６】
現在の原稿カバー１７が開状態でない場合、すなわち閉状態である場合は、前回の開始指示から今回の開始指示までの間に原稿カバー１７の開状態が検知されたか否かによって処理が分かれる。
前回コピーした原稿Ｍを再コピーするのではなく別の原稿Ｍを載置台１６に載置してコピーしようとしているのであれば、操作者は前回の開始指示から今回の開始指示までの間に原稿カバー１７を開状態にして載置台１６に別の原稿Ｍを載置しているはずである。逆にいうと、開状態が検知されていない場合は、操作者には載置台１６上の原稿Ｍを読み取らせようとする意思はなく、ＡＤＦ１９に原稿Ｎをセットして読み取らせようとしたが不正確にセットしてしまったために原稿Ｎが検知位置Ｄまで差し込まれず、第１の原稿検知センサ２０が原稿Ｎを検知できずに原稿台２２上に原稿Ｎが無いと判定されてしまった可能性が高い。
【００３７】
この場合、載置台１６上の原稿Ｍを読み取って印刷してしまうと、載置台１６上に置き去りにされた原稿Ｍがコピーされてしまう、あるいは原稿が載置されていない場合は載置台１６を覆う原稿カバー１７を読み取って無地の画像を印刷してしまうことになり、操作者は無駄なコピーが終わるまで待たされる上、被記録媒体や電力などの資源が浪費されることになる。そこで、本実施形態では前回の開始指示から今回の開始指示までの間に原稿カバー１７の開状態が検知されていない場合は載置台１６上の原稿Ｍのコピーを実行しない。
【００３８】
一方、前回の開始指示から今回の開始指示までの間に原稿カバー１７の開状態が検知されている場合は、今回の開始指示の入力時から遡って１分（第１の時間の一例）以内に原稿カバー１７が開状態から閉状態に変化しているか否かによって処理が分かれる。
原稿カバー１７を閉じてから読取処理の開始指示を入力するまでの時間は一般に短時間であり、多くの場合は１分以内である。つまり、操作者に載置台１６上の原稿Ｍを読み取らせる意思があるのであれば、原稿カバー１７の状態は今回の開始指示の入力時から遡って１分以内に開状態から閉状態に変化しているはずである。
【００３９】
逆にいうと、今回の開始指示の入力時から遡って１分以内に原稿カバー１７が開状態から閉状態に変化していなければ、操作者には載置台１６上の原稿Ｍを読み取らせる意思はなく、ＡＤＦ１９に原稿Ｎをセットして読み取らせようとしたが不正確にセットしてしまったために原稿台２２上に原稿Ｎが無いと判定されてしまった可能性が高い。
【００４０】
そこで、本実施形態では今回の開始指示の入力時から遡って１分以内に原稿カバー１７が開状態から閉状態に変化していない場合は載置台１６上の原稿Ｍのコピーを実行しない。したがって、例えば原稿カバー１７の開状態が開始指示の入力時から遡って１分以内に検知されていない場合は、載置台１６上の原稿Ｍの読取処理は実行されないことになる。
【００４１】
一方、今回の開始指示の入力時から遡って１分以内に原稿カバー１７が開状態から閉状態に変化している場合は、当該開状態であった時間が５秒（第２の時間の一例）未満であったか否かによって処理が分かれる。
載置台１６に原稿Ｍを載置する場合、原稿カバー１７を開いてから原稿カバー１７を閉じるまでには一般に５秒以上の時間を要する。逆にいうと、原稿カバー１７を開いてから原稿カバー１７を閉じるまでの時間が５秒未満である場合は、操作者は載置台１６に原稿Ｍが残っていないかを確認したのみであり、原稿Ｍの載置は行っていない可能性が高い。
【００４２】
つまり、５秒未満である場合は操作者には載置台１６上の原稿Ｍを読み取らせる意思はなく、原稿台２２に原稿Ｎをセットして読み取らせようとしたが不正確にセットしてしまったために原稿台２２上に原稿Ｎが無いと判定されてしまった可能性が高い。そこで、本実施形態では当該開状態であった時間が５秒未満であった場合は載置台１６上の原稿Ｍのコピーを実行しない。
【００４３】
一方、当該開状態であった時間が５秒以上であった場合は、操作者によって載置台１６上に原稿Ｍが載置された可能性が高い。つまり、操作者には載置台１６上の原稿Ｍを読み取らせる意思がある可能性が高い。そこで、本実施形態では当該開状態であった時間が５秒以上であった場合は載置台１６上の原稿Ｍのコピーを実行する。
【００４４】
（複合機の処理の具体例）
次に、第１の原稿検知センサ２０の出力信号、開閉検知センサ１８の出力信号、原稿台２２上の原稿Ｎの読取処理、載置台１６上の原稿Ｍの読取処理、印刷処理の関係をいくつかの具体例に基づいて説明する。
図５は、ＡＤＦ１９の原稿台２２に載置されている原稿Ｎのコピー及び再コピーを行うタイムチャートである。
【００４５】
時点Ｔ１においてコピーボタンが押下された時、第１の原稿検知センサ２０の出力信号はオン（原稿有り）である。この場合、時点Ｔ１においてコピーボタンが押下されると、複合機１はＡＤＦ１９の原稿台２２に載置されている原稿Ｎの読取処理を実行し、読取処理によって生成した画像データの印刷処理を実行する。すなわち原稿台２２に載置されている原稿Ｎのコピーを実行する。
【００４６】
図６は、本などの厚みのある原稿Ｍを載置台１６に載置してコピー及び再コピーを行うタイムチャートである。前回の載置台１６上の原稿Ｍの読取処理が終了したときから時点Ｔ５においてコピーボタンが押下されるまでの時間は１分を越えているとする。
時点Ｔ５においてコピーボタンが押下された時、第１の原稿検知センサ２０の出力信号はオフ（原稿無し）であり、開閉検知センサ１８の出力信号はオフ（開状態）である。この場合、複合機１は載置台１６に載置されている原稿Ｍの読取処理を実行し、読取処理によって生成した画像データの印刷処理を実行する。すなわち載置台１６に載置されている原稿Ｍのコピーを実行する。
【００４７】
図示する例ではコピーを実行した後の時点Ｔ７で再度コピーボタンが押下されている。前回の読取処理が終了した時点Ｔ６と時点Ｔ７との時間差は１分以内である。この場合、複合機１は再コピーと判定する。
ただし、複合機１は再コピーと判定するが、前回生成した画像データを直ちに印刷するのではなく、操作者に再コピーを行うのか否かを問い合わせる。操作者は再コピーをする場合は一定時間以内にコピーボタンを再度押下する。図示する例では一定時間以内である時点Ｔ８でコピーボタンが再度押下されており、この場合、複合機１は読取処理を実行せず、前回生成した画像データの印刷処理のみを行う。
【００４８】
なお、本実施形態では再コピーであるか否かを前回の読取処理が終了した時点Ｔ６と時点Ｔ７との時間差が１分以内であるか否かにより判定しているが、再コピーであるか否かは、前回の開始指示が入力された時点Ｔ５と時点Ｔ７との時間差に基づいて判定してもよいし、前回の印刷処理が終了した時点Ｔ６'と時点Ｔ７との時間差に基づいて判定してもよい。
【００４９】
図７は、載置台１６に載置されている原稿Ｍをコピー及び再コピーを行うタイムチャートである。前回の載置台１６上の原稿Ｍの読取処理が終了した時から時点Ｔ１０においてコピーボタンが押下されるまでの時間は１分を超えているとする。時点Ｔ１０においてコピーボタンが押下された時、第１の原稿検知センサ２０の出力信号はオフ（原稿無し）であり、開閉検知センサ１８の出力信号はオン（閉状態）である。図示する例では時点Ｔ１０においてコピーボタンが押下されるより前の時点Ｔ９において開閉検知センサ１８の出力信号がオフ（開状態）からオン（閉状態）に変化している。そして、時点Ｔ９において開閉検知センサ１８の出力信号がオン（閉状態）に変化するまで開閉検知センサ１８の出力信号は連続して５秒以上オフ（開状態）である。
【００５０】
この場合、時点Ｔ１０においてコピーボタンが押下されると、複合機１は載置台１６に載置されている原稿Ｍの読取処理を実行し、読取処理によって生成した画像データの印刷処理を実行する。すなわち載置台１６に載置されている原稿Ｍのコピーを実行する。
図示する例ではコピーを実行した後の時点Ｔ１２で再度コピーボタンが押下されている。時点Ｔ１１と時点Ｔ１２との時間差は１分以内である。この場合、複合機１は操作者に再コピーを行うのか否かを問い合わせ、一定時間以内にコピーボタンが再度押下された場合は前回生成した画像データの印刷処理を行う。図示する例では一定時間以内である時点Ｔ１３でコピーボタンが再度押下されており、この場合、複合機１は読取処理を実行せず、前回生成した画像データの印刷処理のみを行う。
【００５１】
（複合機の処理の詳細）
次に、複合機１の処理の詳細について説明する。
以下の処理において、複合機１は原稿の読取処理を実行して画像データを生成すると、生成した画像データを再コピーのためにＲＡＭに記憶し、読取処理が終了してから１分を経過したときに破棄するものとする。
【００５２】
図８は、複合機１の処理の流れを示すフローチャートである。本処理は操作者が操作部１３のコピーボタンを押下して開始指示を入力すると開始される。
Ｓ１０５では、制御部１５は第１の原稿検知センサ２０の出力信号の状態を判定し、出力信号がオン（原稿有り）のときは原稿Ｎが有ると判定してＡＤＦ１９の原稿台２２上の原稿Ｎの読取処理（Ｓ１１０）に進む。一方、出力信号がオフ（原稿無し）のときは制御部１５は原稿Ｎが無いと判定し、載置台１６上の原稿Ｍの読取処理（Ｓ１１５）に進む。
Ｓ１１０では、制御部１５はＡＤＦ１９及び読取部２１を制御して原稿台２２上の原稿Ｎの読取処理を実行し、読取処理によって生成した画像データを印刷する。
【００５３】
次に、載置台１６上の原稿Ｍの読取処理（Ｓ１１５）について説明する。
図９は、載置台１６上の原稿Ｍの読取処理の流れを示すフローチャートである。
Ｓ３０５では、制御部１５はコピーボタンが押下されたのが前回の載置台１６上の原稿Ｍの読取処理が終了してから１分（第３の時間の一例）以内であるか否かを判定する。制御部１５は１分以内の場合はＳ３１０に進んで１分以内の場合の処理を実行し、１分を超えている場合はＳ３１５に進む。
【００５４】
Ｓ３１５では、制御部１５は現在の原稿カバー１７が閉状態であるか否かを判定する。制御部１５は現在の原稿カバー１７が閉状態である場合はＳ３２０に進み、開状態である場合はＳ３４０に進む。
Ｓ３２０では、制御部１５は前回の開始指示から今回の開始指示までの間に原稿カバー１７の開状態が検知されたかを判定する。制御部１５は、開状態が検知された場合はＳ３２５に進み、開状態が検知されなかった場合は処理を終了する。
【００５５】
Ｓ３２５では、制御部１５はコピーボタンが押下された時から遡って１分（第１の時間の一例）以内に原稿カバー１７が開状態から閉状態に変化したか否かを判定する。制御部１５は１分以内に原稿カバー１７が開状態から閉状態に変化していない場合はＳ３３０に進み、変化している場合はＳ３３５に進む。
Ｓ３３０では、制御部１５は例えば「エラー：原稿セットしてください」などのようなエラーメッセージを表示装置に表示して処理を終了する。
【００５６】
Ｓ３３５では、制御部１５は開状態が５秒以上連続していたか否かを判定する。制御部１５は５秒以上連続していた場合はＳ３４０に進み、５秒未満であった場合はＳ３３０に進む。
Ｓ３４０では、制御部１５は読取部２１を制御して載置台１６上の原稿Ｍの読取処理を実行する。制御部１５は読取処理によって生成された画像データをＲＡＭに記憶する。
Ｓ３４５では、制御部１５はＲＡＭに記憶されている画像データを印刷する。
【００５７】
次に、コピーボタンが押下されたのが前回の載置台１６上の原稿Ｍの読取処理が終了してから１分以内の場合の処理について説明する。
図１０は、１分以内の場合の処理（Ｓ３１０）の流れを示すフローチャートである。
Ｓ４０５では、制御部１５は前回の載置台１６上の原稿Ｍの読取処理で生成した画像データを再印刷するか否かを操作者に問い合わせる。具体的には例えば、制御部１５は表示装置に「ＲＥＰＬＡＹ？  もう一度コピーボタンを押してください」などのようなメッセージを表示する。
操作者は前回の載置台１６上の原稿Ｍの読取処理で生成した画像データを印刷する場合は一定時間以内にコピーボタンを押下し、一方、前回の画像データを再印刷したくない場合はコピーボタンを押下せずに一定時間待機する。
【００５８】
制御部１５は一定時間以内にコピーボタンが押下された場合はＳ４１５に進み、一定時間以内にコピーボタンが押下されなければ処理を終了する。
Ｓ４１５では、制御部１５はＲＡＭに記憶されている画像データを印刷する。
【００５９】
以上説明した本発明の一実施形態に係る複合機１によると、原稿カバー１７の開状態が開始指示の入力時から遡って１分（第１の時間）以内に検知されていない場合は載置台１６上の原稿Ｍの読取処理を実行しないので、ＡＤＦ１９の原稿台２２上に原稿Ｎが不正確に載置されたときに誤って載置台１６上の原稿Ｍを読み取ってしまう読取ミスを低減できる。これにより、操作者は無駄な読み取りが終わるまで待たされることはなく、また、被記録媒体や電力などの資源の浪費を低減できる。
【００６０】
＜実施形態２＞
次に、本発明の実施形態２を図１１ないし図１２によって説明する。
図１１は、実施形態２に係る複合機２の模式図である。複合機２は載置台１６の下に第２の原稿検知センサ３０（第２の原稿検知手段の一例）を備えている。
第２の原稿検知センサ３０は、例えば載置台１６の下方に設けられた光電センサである。光電センサには原稿Ｍ又は原稿カバー１７のいずれかで反射した光が入射する。制御部１５は原稿カバー１７で反射した光が光電センサに入射したときに出力されるセンサ出力とは異なるセンサ出力が出力された場合は、載置台１６上に原稿Ｍが載置されていると判定する。
【００６１】
載置台１６に原稿Ｍを載置してから読取処理の開始指示を入力するまでの時間は一般に短時間であり、多くの場合は１分（第１の時間の一例）以内である。つまり、操作者に載置台１６上の原稿Ｍを読み取らせる意思があれば、開始指示が入力された時から遡って１分以内に第２の原稿検知センサ３０の検知結果が原稿無しから原稿有りに変化しているはずである。
【００６２】
逆にいうと、１分以内に第２の原稿検知センサ３０の検知結果が原稿無しから原稿有りに変化していなければ、操作者には載置台１６上の原稿Ｍを読み取らせる意思はなく、ＡＤＦ１９の原稿台２２上に原稿Ｎを不正確に載置してしまった可能性が高いといえる。
そこで実施形態２では、ＡＤＦ１９の原稿台２２上の原稿Ｎが検知されない場合は、開始指示が入力された時から遡って１分以内に第２の原稿検知センサ３０の検知結果が原稿無しから原稿有りに変化しているかを判定し、原稿無しから原稿有りに変化していない場合は操作者には載置台１６上の原稿Ｍを読み取らせる意思はないとして、載置台１６上の原稿Ｍの読取処理を実行しない。
【００６３】
図１２は、複合機２における載置台１６上の原稿Ｍの読取処理の流れを示すフローチャートである。ここでは実施形態１の処理と実質的に同一の処理には同一の符号を付して説明を省略する。
Ｓ５０５では、制御部１５は載置台１６上に原稿Ｍが載置されているか否かを第２の原稿検知センサ３０の検知結果に基づいて判定し、原稿Ｍが載置されている場合はＳ５１０に進み、載置されていない場合はＳ３３０に進む。
【００６４】
Ｓ５１０では、制御部１５は開始指示が入力された時から遡って１分（第１の時間の一例）以内に第２の原稿検知センサ３０の検知結果がオフ（原稿無し）からオン（原稿有り）に変化したかを判定する。制御部１５は、１分以内に原稿無しから原稿有りに変化していない場合はＳ３３０に進み、変化している場合はＳ３４０に進む。
【００６５】
このように複合機２によると、ＡＤＦ１９の原稿台２２上の原稿Ｎが検知されない場合に、開始指示が入力された時から遡って１分以内に第２の原稿検知センサ３０の検知結果が原稿無しから原稿有りに変化していない場合は載置台１６上の原稿Ｍの読取処理を実行しない。よって複合機２によると、ＡＤＦ１９の原稿台２２上に原稿Ｎが不正確に載置してしまっても、誤って載置台１６上の原稿Ｍを読み取ってしまう読取ミスを低減できる。
複合機１はその他の点において実施形態１と実質的に同一である。
【００６６】
＜実施形態３＞
次に、本発明の実施形態３を図１３によって説明する。
載置台１６上に原稿Ｍが載置されていない場合に載置台１６上の原稿の読取処理を実行すると、載置台１６を覆う原稿カバー１７を読み取って無地の画像を表す画像データが生成される。そこで実施形態３では、ＡＤＦ１９の原稿台２２上の原稿Ｎが検知されない場合は載置台１６上の原稿の読取処理を実行し、その読取処理によって生成した画像データが無地画像のときは、原稿カバー１７を読み取ってしまったと判定し、生成した画像データを印刷したりファクシミリ部１４から外部装置（図示せず）へ送信したりする出力処理を実行しない。
【００６７】
また、載置台１６上に置き去りにされている原稿Ｍを読み取ると、前回の載置台１６上の原稿Ｍの読取処理で生成された画像データと類似する画像データが生成される。そこで実施形態３では、載置台１６上の原稿Ｍを読み取って生成した画像データをＲＡＭに一定時間記憶しておき、その後に載置台１６上の原稿Ｍを読み取って画像データを生成したとき、生成した画像データとＲＡＭに記憶されている前回の画像データとが類似するときは、誤って載置台１６上に置き去りにされている原稿Ｍを読み取ってしまったと判定し、生成した画像データを印刷しない。
【００６８】
図１３は、実施形態３に係る複合機の処理の流れを示すフローチャートである。ここでは実施形態１の処理と実質的に同一の処理には同一の符号を付して説明を省略する。
Ｓ６０５では、制御部１５は生成した画像データが無地の画像（無地画像という）であるか否かを判定する。制御部１５は、無地画像ではない場合はＳ６１０に進み、無地画像の場合はＳ３３０に進む。
無地画像であるか否かの判定は、例えば画素値が２５５階調である場合、画像データの各画素の画素値が平均して２５０以上であれば無地画像と判定してもよい。
【００６９】
Ｓ６１０では、制御部１５は、生成した画像データと前回の載置台１６上の原稿Ｍの読取処理でＲＡＭに記憶された画像データとが、同一の原稿Ｍを読み取って生成されたといえる程度に類似しているか否かを判定する。
類似しているか否かの判定は、例えば今回生成した画像データの色空間と前回生成した画像データの色空間とをそれぞれＸＹＺ色空間などの均等色空間に変換した上で、今回生成した画像データの画素と前回生成した画像データの対応する画素との色差ΔＥを画素毎に算出し、ΔＥが平均して所定の閾値未満であれば類似していると判定してもよい。
制御部１５は、類似していない場合はＳ３４５に進み、類似している場合はＳ３３０に進む。
【００７０】
このように実施形態３に係る複合機によると、ＡＤＦ１９の原稿台２２上に原稿Ｎが不正確に載置されて載置台１６上の原稿Ｍを誤って読み取ってしまった場合は生成した画像データを出力しないので、読取ミスによって生成した画像データが出力されてしまうことを防止できる。
実施形態３に係る複合機はその他の点において実施形態１と実質的に同一である。
【００７１】
【００７２】
【００７３】
【００７４】
【００７５】
【００７６】
【００７７】
【００７８】
【００７９】
【００８０】
＜他の実施形態＞
本発明は上記記述及び図面によって説明した実施形態に限定されるものではなく、例えば次のような実施形態も本発明の技術的範囲に含まれる。
【００８１】
（１）上記実施形態１では現在の原稿カバー１７が開状態である場合は載置台１６に本などの厚みのある原稿が載置されているとして読取処理を実行している。しかしながら、画像読取装置には厚みのある原稿の読み取りに対応しないものもある。その場合、載置台１６上の原稿を読み取るときは常に原稿カバー１７は閉状態にされることになるので、原稿カバー１７が開状態である場合は操作者には載置台１６上の原稿を読み取らせる意思はないとして、載置台１６上の原稿の読取処理を実行しないようにしてもよい。
【００８２】
（２）上記実施形態１〜４では第１、第３及び第４の時間を１分、第２の時間を５秒としているが、これらの時間を何時間とするかは適宜選択可能な設計事項であり、１分以外の時間、あるいは５秒以外の時間であってもよい。
【００８３】
（３）上記実施形態では原稿を読み取って生成した画像データを印刷することによって出力する場合を例に説明したが、生成した画像データをファクシミリ部１４によってファクシミリ送信することによって出力したり、複合機１に装着された図示しないＵＳＢメモリ等の外部記憶装置に書き込むことによって出力してもよい。この場合、複合機１によると、ＡＤＦ１９の原稿台２２上に原稿が不正確に載置されたときに誤って載置台１６上の原稿から生成された画像データがファクシミリ送信されたり外部記憶装置に書き込まれたりされてしまうことを低減できる。
【００８４】
（４）上記実施形態１又は上記実施形態２に、上記実施形態３を適用してもよい。上記実施形態１又は上記実施形態２に上記実施形態３を適用すると、ＡＤＦ１９の原稿台２２上に原稿Ｎが不正確に載置されたときに誤って載置台１６上の原稿Ｍを読み取ってしまう読取ミスを上記実施形態１又は上記実施形態２によって低減できるとともに、仮に誤って載置台１６上の原稿Ｍを読み取ってしまっても読取ミスによって生成した画像データが出力されてしまうことを上記実施形態３によって低減できる。
【図面の簡単な説明】
【００８５】
【図１】本発明の一実施形態に係る複合機の部分的な斜視図。
【図２】本発明の一実施形態に係る複合機の部分的な斜視図。
【図３】本発明の一実施形態に係る複合機の模式図。
【図４】本発明の一実施形態に係る処理の概要を示す模式図。
【図５】本発明の一実施形態に係るタイムチャート。
【図６】本発明の一実施形態に係るタイムチャート。
【図７】本発明の一実施形態に係るタイムチャート。
【図８】本発明の一実施形態に係るフローチャート。
【図９】本発明の一実施形態に係るフローチャート。
【図１０】本発明の一実施形態に係るフローチャート。
【図１１】本発明の一実施形態に係る複合機の模式図。
【図１２】本発明の一実施形態に係るフローチャート。
【図１３】本発明の一実施形態に係るフローチャート。
【符号の説明】
【００８６】
１…複合機（画像読取装置）
２…複合機（画像読取装置）
１１…スキャナ部
１２…プリンタ部（出力手段）
１３…操作部（指示手段）
１４…ファクシミリ部（出力手段）
１５…制御部（制御手段、記憶手段）
１６…載置台
１７…原稿カバー
１８…開閉検知センサ（開閉検知手段）
１９…ＡＤＦ（原稿搬送手段）
２０…第１の原稿検知センサ（第１の原稿検知手段）
２１…読取部（読取手段）
２２…原稿台
３０…第２の原稿検知センサ（第２の原稿検知手段）
【図１】
0004867946.tif 000002
【図２】
0004867946.tif 000003
【図３】
0004867946.tif 000004
【図４】
0004867946.tif 000005
【図５】
0004867946.tif 000006
【図６】
0004867946.tif 000007
【図７】
0004867946.tif 000008
【図８】
0004867946.tif 000009
【図９】
0004867946.tif 000010
【図１０】
0004867946.tif 000011
【図１１】
0004867946.tif 000012
【図１２】
0004867946.tif 000013
【図１３】
0004867946.tif 000014